(57)【要約】【課題】  貯水した洗浄水を便器に流出して便器を洗浄する便器洗浄用タンク装置において、洗浄水タンクを小さくする便器洗浄用タンク装置を提供すること。【解決手段】  便器２を洗浄する洗浄水を貯水し、フロート弁５０の開放により洗浄水を便器２へ流出する洗浄水タンク１０と、上口部６１を越える洗浄水を便器２へ排水する筒状のオーバーフロー管６０とを備え、洗浄水タンク１０に設けられ洗浄水タンク１０内と大気とを連通する通気穴１２と、洗浄水の水位変化に従い上下移動し通気穴１２を開閉する可動弁８０とを有する便器洗浄用タンク装置１００とした。【選択図】  図２
2011202413.tif 000002
【特許請求の範囲】
【請求項１】
便器を洗浄する洗浄水を貯水し、フロート弁の開放により前記洗浄水を前記便器へ流出する洗浄水タンクと、
上口部を越える前記洗浄水を前記便器へ排水する筒状のオーバーフロー管とを備え、
前記洗浄水タンクに設けられ前記洗浄水タンク内と大気とを連通する通気穴と、
前記洗浄水の水位変化に従い上下移動することにより前記通気穴を開閉する可動弁とを有する便器洗浄用タンク装置。
【請求項２】
前記オーバーフロー管の内部と大気とを連通する連通管を有する請求項１に記載の便器洗浄用タンク装置。
【請求項３】
前記連通管は、一端が前記オーバーフロー管の側面に開口し、他端が前記タンクの壁部より大気に開口する請求項２に記載の便器洗浄用タンク装置。
【請求項４】
前記連通管は、一端が前記オーバーフロー管の上端部に挿入され内部に開口し、他端が前記タンクの上壁より大気に開口する請求項２に記載の便器洗浄用タンク装置。
【発明の詳細な説明】
【技術分野】
【０００１】
本発明は、貯水した洗浄水を便器に流出して、便器を洗浄する便器洗浄用タンク装置に関し、特に、洗浄水タンクを従来より小さくする便器洗浄用タンク装置に関する。
【背景技術】
【０００２】
特許文献１には、供給管を備え、使用者が洗浄水タンクに取り付けられた操作ハンドルを操作すると、供給管から吐出される洗浄水の効果により、洗浄水タンク内に貯水する洗浄水の瞬間流量を増大させる便器洗浄タンク装置が開示されている。
【０００３】
この便器洗浄タンク装置は、洗浄水を貯水する貯水部を形成する洗浄水タンクと、洗浄水タンクの上を覆う蓋を有している。従来、本装置にも示される洗浄水タンクと蓋の合わせ部の隙間を利用し、隙間から大気を洗浄水タンク内に流入させ、洗浄水の瞬間流量が確保されている。
【先行技術文献】
【特許文献】
【０００４】
【特許文献１】特開平１０−１０２５６８号公報
【発明の概要】
【発明が解決しようとする課題】
【０００５】
しかしながら、特許文献１の便器洗浄タンク装置において、洗浄水タンクの振動や揺れ、又は傾斜などにより、洗浄水タンクと蓋の合わせ部から貯水した洗浄水がこぼれ出ることを防ぐ場合、例えば、洗浄水タンクの洗浄水の水面より上側の寸法を大きくすることが必要とされる。更に、洗浄水タンクの上に蓋が配設されるため、便器洗浄タンク装置が大型化されてしまう。
【０００６】
本発明は、上記の問題に鑑みてなされたものであり、洗浄水タンクを小さくする便器洗浄タンク装置を提供することを課題とする。
【課題を解決するための手段】
【０００７】
上記の技術的課題を解決するために本発明にて講じられた技術的手段は、便器を洗浄する洗浄水を貯水し、フロート弁の開放により前記洗浄水を前記便器へ流出する洗浄水タンクと、上口部を越える前記洗浄水を前記便器へ排水する筒状のオーバーフロー管とを備え、前記洗浄水タンクに設けられ前記洗浄水タンク内と大気とを連通する通気穴と、前記洗浄水の水位変化に従い上下移動することにより、前記通気穴を開閉する可動弁とを有する便器洗浄用タンク装置としたことである。
【０００８】
この場合、前記オーバーフロー管の内部と大気とを連通する連通管を有すると良い。
【０００９】
また、前記連通管は、一端が前記オーバーフロー管の側面に開口し、他端が前記洗浄水タンクの壁部より大気に開口する構成とすると良い。
【００１０】
更に、前記連通管は、一端が前記オーバーフロー管の上端部に挿入され内部に開口し、他端が前記洗浄水タンクの上壁より大気に開口する構成とすると良い。
【発明の効果】
【００１１】
本発明によれば、洗浄水の流出時には可動弁が降下し通気穴が開放され、洗浄水の洗浄水タンクから便器への瞬間流量が確保される。また、洗浄水の貯水時には可動弁が上昇し通気穴が閉塞されるため、洗浄水タンクが振動、揺れ又は傾斜した場合、洗浄水がこぼれ出るのを防止できる。これにより、洗浄水の水面より上部の空間を小さくでき、洗浄水タンクを小さくすることができる。
【００１２】
この場合、オーバーフロー管の内部と大気とを連通する連通管とすれば、大気が連通管を介してオーバーフロー管から洗浄水タンク内に流入され、洗浄水の初期流出と共に通気穴の開放が促進され、洗浄水の流出量を急激に増加できる。
【００１３】
また、連通管は一端がオーバーフロー管の側面に開口し、他端が洗浄水タンクの壁部より大気に開口するようにすれば、連通管の配管の自由度を増すことができる。
【００１４】
更に、連通管は一端がオーバーフロー管の上端部に挿入され内部に開口し、他端が洗浄水タンクの上壁より大気に開口するようにすれば、連通管の配管をコンパクトにすることができる。
【図面の簡単な説明】
【００１５】
【図１】本発明の第１の実施例に係る便器洗浄用タンク装置１００の構成を示す概略図である。
【図２】便器洗浄用タンク装置１００の大気導通機構９０の構造図である。
【図３】可動弁８０及びフロート体８５の平面図である。
【図４】洗浄水の流出水量の説明図である。
【図５】本発明の第２の実施例に係る便器洗浄用タンク装置２００の概略図である。
【図６】本発明の第３の実施例に係る便器洗浄用タンク装置３００の概略図である。
【図７】第３の実施例の変形例を示す概略図である。
【発明を実施するための形態】
【００１６】
本発明の実施の形態について、図１から図４に示す本発明の第１の実施例に基づいて以下に説明する。
【００１７】
便器洗浄用タンク装置１００は、図１に示すように、便器２の後部上方に配設され、便器洗浄のための洗浄水を貯水する洗浄水タンク１０を有する。洗浄水タンク１０は、上側部材と下側部材が一体的な構造であり、例えば、上側部材と下側部材が溶着等により水密的に結合されている。
【００１８】
洗浄水タンク１０の一方側壁内側には、洗浄水タンク１０へ洗浄水（水道水）の給水・止水を行うボールタップ３０が配設されている。ボールタップ３０は、図示しない水道管に接続される給水管２０に連結されている。給水管２０は、洗浄水タンク１０の側壁を水密的に貫通し水道管に接続され、水道水をボールタップ３０に通水する。ボールタップ３０は、洗浄水中に配設されている。
【００１９】
ボールタップ３０は、洗浄水に浮遊し、洗浄水の水位変化に従い上下移動するフロート３１にリンク３２を介して連結されている。フロート３１の上下移動により、図示しないバルブが開閉され、給水管２０から洗浄水タンク１０へ洗浄水の給水又は止水が行われる。
【００２０】
洗浄水タンク１０の他方側壁には、外側に回動自在の操作ハンドル４０と内側に操作ハンドル４０と一体的に連結され回動するＬ字状のレバー４１が、水密的に側壁を貫通し配設されている。レバー４１の先端には、洗浄水タンク１０の底部から便器２へ洗浄水を流出する流出路１１への連通を開閉するフロート弁５０がチェーン４２を介して連結されている。レバー４１は、洗浄水中に配設されている。
【００２１】
洗浄水タンク１０の内部には、略円筒状（筒状）のオーバーフロー管６０が上下方向に配設されている。オーバーフロー管６０は、例えば、ボールタップ３０が水漏れした場合、洗浄水タンク１０内の上口部６１（満水面位置）を越える洗浄水を流出路１１に開口する下口部６２から便器２へ管内を通して排水する。
【００２２】
オーバーフロー管６０には、管内と洗浄水タンク１０外の大気とを連通する連通管７０が設けられている。連通管７０は、一端７１がオーバーフロー管６０の側面に開口し、他端７２が洗浄水タンク１０の壁部より大気に開口する。これにより、連通管７０の配管の自由度を増すことができる。
【００２３】
洗浄水タンク１０の上壁には、図２に詳細を示すように、洗浄水タンク１０の内側と大気とを連通する通気穴１２が設けられている。通気穴１２の縁部には、洗浄水タンク１０の内方且つ垂直に円筒状の縦壁１３が形成されている。縦壁１３の下端部には、Ｏリング状のシール部材１４が固定されている。シール部材１４は、例えば、縦壁１３の下端部に形成された周状溝に突設された突部により挟持されている。縦壁１３の周囲には、下端に水平方向に延在するストッパ１５ａが形成され、上端が洗浄水タンク１０の上壁に固定される略Ｌ字状の複数のガイド棒１５が周方向に等間隔に配設されている。
【００２４】
縦壁１３の外側には、下側に底部８１を有する円筒部８２からなる凹状の有底円筒部８３と、有底円筒部８３の開口端から径方向外方向に延出する鍔部８４とからなる可動弁８０が、縦壁１３を覆うように配設されている。鍔部８４には、ガイド棒１５が挿通される穴８４ａが形成されている。可動弁８０は、穴８４ａがガイド棒１５に案内され上下に移動自在であり、上下移動により通気穴１２を開閉する。可動弁８０は、底部８１がシール部材１４と当接し上方への移動が規制され、鍔部８４がストッパ１５ａと当接し下方への移動が規制される。
【００２５】
可動弁８０の底部８１の下側には、図３に示すように、ガイド棒１５が挿通される挿通部８５ａが周方向に等間隔に形成され、密度が洗浄水より小さいフロート体８５が固定されている。フロート体８５は浮力を発生し、浮力により底部８１をシール部材１４に押し当て、通気穴１２を水密的に閉塞する。フロート体８５は、例えば、ブロー成形による中空体又は発泡材から形成される。図２の水面は、満水面位置まで洗浄水が洗浄水タンク１０内に貯えられた時（満水時）の水面を示し、鍔部８４の上面より下方に位置される。なお、浮力は、可動弁８０及びフロート体８５の重量、フロート体８５の密度・大きさ等により定まる。
【００２６】
通気穴１２、縦壁１３、シール部材１４、ガイド棒１５、可動弁８０及びフロート体８５により大気導通機構９０が構成される。
【００２７】
なお、図２の破線は、洗浄水タンク１０内の洗浄水が流出し、可動弁８０がストッパ１５ａと当接したときの可動弁８０及びフロート体８５を示す。
【００２８】
次に、第１の実施例の作動について説明する。
【００２９】
便器２を洗浄するため、操作ハンドル４０が操作（回動）されると、操作ハンドル４０と一体的なレバー４１が回動する。レバー４１が回動すると、チェーン４２を介して連結されているフロート弁５０が上方に移動し、洗浄水タンク１０内と流出路１１が連通される。
【００３０】
洗浄水タンク１０内と流出路１１が連通されると、洗浄水タンク１０内の洗浄水が流出路１１を通して便器２へ流出される。このとき、オーバーフロー管６０に連通される連通管７０を通して洗浄水タンク１０外から大気が流入される。図４に示すように、大気の流入により、洗浄水の初期流出（Ｔ１期間）が開始し、洗浄水の水面が低下し、可動弁８０による通気穴１２の開放が開始される。通気穴１２が開放されると、通気穴１２から大量の大気（空気）が洗浄水タンク１０内に流入し、洗浄水の流出量を急激に増加し、便器２に短時間に大量流出（Ｔ２期間）させることができる。また、図示しない便鉢内の残留洗浄水が流出（Ｔ３期間）して、洗浄水タンク１０内の水面低下によりフロート弁５０が降下すると、洗浄水タンク１０内と流出路１１が遮断され、洗浄水の流出が止まる。
【００３１】
このとき、水面の低下に従いフロート３１が降下し、フロート３１に連結されるリンク３２を介して、図示しないバルブを開き、給水管２０から洗浄水タンク１０へ洗浄水が給水される。
【００３２】
洗浄水タンク１０へ洗浄水が給水され、水面が上昇すると、フロート３１が上昇する。フロート３１の上昇と共にフロート３１に連結されるリンク３２を介して、図示しないバルブを閉じ、給水管２０から洗浄水タンク１０への洗浄水が止水され、洗浄水が貯水される。
【００３３】
このとき、水面の上昇に従い、洗浄水に浮遊するフロート体８５が上昇する。フロート体８５の上昇と共に、フロート体８５に固定される可動弁８０の底部８１が縦壁１３の下端部に配設されるシール部材１４と当接し、通気穴１２が水密的に閉塞される。これにより、洗浄水の貯水時又は満水時、洗浄水タンク１０が振動、揺れ又は傾斜した場合、洗浄水が通気穴１２からこぼれ出るのを防止できる。
【００３４】
このように、洗浄水タンク１０の上部に大気導通機構９０を配設することにより、洗浄水の水面より上部の空間を小さくできる。これにより、洗浄水タンク１０の高さを低くでき、洗浄水タンク１０を小さくすることができる。
【００３５】
次に、本発明の第２の実施例を図５に基づいて説明する。
【００３６】
第２の実施例の便器洗浄用タンク装置２００は、第１の実施例に対して、可動弁２８０及び可動弁２８０を支持する構造が異なる。これ以外については、第１の実施例と同じであるため、必要な場合を除き説明は省略する。
【００３７】
洗浄水タンク２１０の上壁には、図５に詳細を示すように、洗浄水タンク２１０の内側と大気とを連通する通気穴２１２が設けられている。通気穴２１２の縁部には、洗浄水タンク２１０の内方且つ垂直に円筒状の縦壁２１３が形成されている。縦壁２１３の下端部には、Ｏリング状のシール部材２１４が固定されている。縦壁２１３の径方向外方には、下端に水平方向に延在するストッパ２１５ａが形成され、上端が洗浄水タンク２１０の上壁に固定される略Ｌ字状のガイド棒２１５が配設されている。また、ガイド棒２１５より更に外方には、下端部に貫通穴２１６ａを有し、上端が洗浄水タンク２１０の上壁に固定され、長さがガイド棒２１５より短いヒンジ棒２１６が配設されている。
【００３８】
縦壁２１３の外側には、下側に底部２８１を有する円筒部２８２からなる凹状の有底円筒部２８３と、有底円筒部２８３の開口端から径方向外方向に延出する延出部２８４と、延出部２８４と反対側の底部２８１から斜め下方に延出する下方延出部２８５とからなる可動弁２８０が、縦壁２１３を覆うように、配設されている。延出部２８４の端部には、貫通穴２８４ａが形成されている。貫通穴２８４ａ及び貫通穴２１６ａにピン２１７が挿通され、ヒンジ２１８が構成されている。
【００３９】
可動弁２８０は、ヒンジ２１８を中心に上下に回動自在であり、上下回動により通気穴２１２を開閉する。可動弁２８０は、底部２８１がシール部材２１４と当接し上方への回動が規制され、延出部２８４がストッパ２１５ａと当接し下方への回動が規制される。なお、ガイド棒とヒンジ棒の径方向位置は、逆であってもよい。この場合、延出部が貫通穴より外方に更に延出し、延出端の上側がヒンジ棒より短いガイド棒と当接し、可動弁の下方への回動が規制される。
【００４０】
下方延出部２８５の端部には、貫通穴２８５ａが形成されている。下方延出部２８５には、貫通穴２８５ａに支持されるピン２１９に上部に形成された突部の貫通穴２８６ａが回動自在に挿通され、密度が洗浄水より小さいフロート体２８６が連結されている。フロート体２８６は浮力を発生し、浮力により底部２８１をシール部材２１４に押し当て、通気穴２１２を水密的に閉塞する。フロート体２８６は、例えば、ブロー成形による中空体又は発泡材から形成される。図５の水面は、満水面位置まで洗浄水が洗浄水タンク２１０内に貯えられた時（満水時）の水面を示し、延出部２８４の上面より下方に位置される。なお、浮力は、可動弁２８０及びフロート体２８６の重量、フロート体２８６の密度・大きさ等により定まる。
【００４１】
通気穴２１２、縦壁２１３、シール部材２１４、ガイド棒２１５、ヒンジ棒２１６、ヒンジ２１８、可動弁２８０及びフロート体２８６により大気導通機構２９０が構成される。
【００４２】
なお、図５の破線は、洗浄水タンク２１０内の洗浄水が流出し、可動弁２８０がストッパ２１５ａと当接したときの可動弁２８０及びフロート体２８６を示す。
【００４３】
次に、第２の実施例の作動について説明する。
【００４４】
便器２を洗浄するため、操作ハンドル４０が操作（回動）されると、洗浄水が洗浄水タンク２１０から流出する。このとき、洗浄水の水面が低下し、可動弁２８０がヒンジ２１８を中心にして下方に回動し、通気穴２１２が開放される。通気穴２１２の開放により、通気穴２１２から大量の大気（空気）が洗浄水タンク２１０内に流入し、洗浄水の流出量を急激に増加し、便器２に短時間に大量流出させることができる。また、図示しない便鉢内の残留洗浄水が流出して、洗浄水タンク２１０内の水面低下によりフロート弁５０が降下すると、洗浄水タンク２１０内と流出路１１が遮断され、洗浄水の流出が止まる。このとき、水面の低下により、洗浄水に浮遊するフロート３１が降下し、フロート３１に連結されるリンク３２を介して、図示しないバルブを開き、給水管２０から洗浄水タンク２１０へ洗浄水が給水される。
【００４５】
洗浄水タンク２１０へ洗浄水が給水され、水面が上昇すると、フロート３１が上昇する。フロート３１の上昇と共にフロート３１に連結されるリンク３２を介して、図示しないバルブを閉じ、給水管２０から洗浄水タンク２１０への洗浄水が遮断され、洗浄水が貯水される。
【００４６】
このとき、水面が上昇するに従い、洗浄水に浮遊するフロート体２８６が上昇する。フロート体２８６が上昇し、フロート体２８６に連結される可動弁２８０がヒンジ２１８を中心にして上方に回動し、底部２８１が縦壁２１３の下端部に配設されるシール部材２１４と当接し、通気穴２１２が水密的に閉塞される。これにより、洗浄水の貯水時又は満水時、洗浄水タンク２１０が振動、揺れ又は傾斜した場合、洗浄水が通気穴２１２からこぼれ出るのを防止できる。
【００４７】
次に、本発明の第３の実施例を図６に基づいて説明する。
【００４８】
第３の実施例の便器洗浄用タンク装置３００は、第１の実施例に対して、オーバーフロー管３６０及び連通管３７０の構造が異なる。これ以外については、第１の実施例と同じであるため、必要な場合を除き説明は省略する。
【００４９】
オーバーフロー管３６０及び連通管３７０は、略真直状の円筒からなる。連通管３７０は、一端３７１がオーバーフロー管３６０の上端部３６１に挿入され内部に開口し、他端３７２が洗浄水タンク３１０の上壁より大気に開口している。
【００５０】
これにより、連通管３７０の配管（構造）をコンパクトに（短く）でき、延いては洗浄水タンク３１０をより小さくできる。
【００５１】
なお、他端３７２には、異物等の混入防止のため、メッシュ状の膜３７３を配設している。
【００５２】
次に、第３の実施例の作動について説明する。
【００５３】
便器２を洗浄するため、操作ハンドル４０が操作（回動）されると、フロート弁５０が上方に移動し、洗浄水タンク１０内と流出路１１が連通される。洗浄水タンク１０内と流出路１１が連通されると、洗浄水タンク１０内の洗浄水が流出路１１を通して便器２へ流出される。
【００５４】
このとき、オーバーフロー管３６０に連通される連通管３７０を通して洗浄水タンク３１０外から大気が流入される。連通管３７０の配管が短いため、便器２に洗浄水をより短時間に大量流出させることができる。
【００５５】
なお、図７に第３の実施例の変形例を示す。この実施例では、オーバーフロー管４６０の上端部４６１の内径が拡大されている。これにより、連通管３７０の一端３７１がオーバーフロー管４６０の内部に開口しても、オーバーフロー管４６０の通路面積が確保される。
【符号の説明】
【００５６】
２・・・便器
１０、２１０、３１０・・・洗浄水タンク
１１・・・流出口
１２、２１２・・・通気穴（大気導通機構）
１３、２１３・・・縦壁（大気導通機構）
１４、２１４・・・シール部材（大気導通機構）
１５、２１５・・・ガイド棒（大気導通機構）
２１６・・・ヒンジ棒（大気導通機構）
５０・・・フロート弁
６０・・・オーバーフロー管
６１・・・上口部
７０、３７０・・・連通管
７１、３７１・・・一端
７２、３７２・・・他端
８０、２８０・・・可動弁（大気導通機構）
８５、２８６・・・フロート体（大気導通機構）
９０、２９０・・・大気導通機構
１００、２００、３００・・・便器洗浄用タンク装置
【図１】
2011202413.tif 000003
【図２】
2011202413.tif 000004
【図３】
2011202413.tif 000005
【図４】
2011202413.tif 000006
【図５】
2011202413.tif 000007
【図６】
2011202413.tif 000008
【図７】
2011202413.tif 000009